(57)【要約】【課題】  簡単且つ確実に送信機器の認証を行う。【解決手段】  プリンタ２は、カメラ付き携帯電話１０からのプリント信号に応じた所望の動作を実行する通常動作モード、およびカメラ付き携帯電話１０の固有識別情報を取得して、これを記憶する認証モードが切り替え可能に構成され、固有識別情報が記憶されるＩＤ記憶部３７と、プリント信号に含まれる固有識別情報を、認証モードにてＩＤ記憶部３７に記憶された固有識別情報と照合する照合部３８と、照合部３８の照合結果に基づいて、プリント動作を実行させるか否かを決定するＣＰＵ３０とを備える。プリンタ２は、照合部３８で照合がとれたカメラ付き携帯電話からの操作信号のみに応じる受信制限モード、および照合部３８で照合がとれたカメラ付き携帯電話以外のものからの操作信号にも応じる受信許可モードが切り替え可能に構成されている。【選択図】        図３
2006243792.tif 000002
【特許請求の範囲】
【請求項１】
赤外線通信機能を有する受信機器であって、
送信機器からの操作信号に応じた所望の動作を実行する通常動作モード、
および前記送信機器の固有識別情報を取得して、これを記憶する認証モードが切り替え可能に構成され、
前記固有識別情報が記憶される記憶部と、
前記操作信号に含まれる固有識別情報を、前記認証モードにて前記記憶部に記憶された固有識別情報と照合する照合部と、
前記照合部の照合結果に基づいて、前記所望の動作を実行させるか否かを決定する動作制御部とを備えたことを特徴とする赤外線通信機能を有する受信機器。
【請求項２】
前記照合部で照合がとれた送信機器からの操作信号のみに応じる受信制限モード、
および前記照合部で照合がとれた送信機器以外のものからの操作信号にも応じる受信許可モードが切り替え可能に構成されたことを特徴とする請求項１に記載の赤外線通信機能を有する受信機器。
【請求項３】
前記固有識別情報が前記記憶部に記憶されたことを表示する表示部を備えたこと特徴とする請求項１または２に記載の赤外線通信機能を有する受信機器。
【発明の詳細な説明】
【技術分野】
【０００１】
本発明は、赤外線通信機能を有する受信機器に関する。
【背景技術】
【０００２】
赤外線通信機能を有し、送信機器からの操作信号に応じた所望の動作を実行する受信機器として、カメラ付き携帯電話からのプリント信号に応じて画像をプリントするプリンタが知られている。このようなプリンタでは、ユーザーが意図しないカメラ付き携帯電話からのプリント信号を受信して、誤ってプリントをすることがないように、プリントの実行を許可するカメラ付き携帯電話を認証する必要がある。
【０００３】
上記のようなプリンタでカメラ付き携帯電話の認証を行う方法には、この種の認証に関して従来から提案されているもの、例えば、認証用媒体に記録された固有の認証コード、およびユーザー登録時に発行される固有のユーザー認証番号（パスワード）によりユーザーを管理する方法（特許文献１参照）が多く採用されている。
【特許文献１】特開平１０−３０８８３５号公報
【発明の開示】
【発明が解決しようとする課題】
【０００４】
特許文献１に記載の方法では、パスワードを他人に知られてしまった場合に悪用されるおそれがあり、セキュリテイ度が低いという問題があった。また、ユーザーはパスワードを覚えていなければならず、パスワードを忘れてしまった場合には、パスワードの管理者に問い合わせる必要があるなど、非常に煩わしいという問題があった。
【０００５】
本発明は、上記課題を鑑みてなされたものであり、簡単且つ確実に送信機器の認証を行うことができる赤外線通信機能を有する受信機器を提供することを目的とする。
【課題を解決するための手段】
【０００６】
上記目的を達成するために、本発明は、赤外線通信機能を有する受信機器であって、送信機器からの操作信号に応じた所望の動作を実行する通常動作モード、および前記送信機器の固有識別情報を取得して、これを記憶する認証モードが切り替え可能に構成され、前記固有識別情報が記憶される記憶部と、前記操作信号に含まれる固有識別情報を、前記認証モードにて前記記憶部に記憶された固有識別情報と照合する照合部と、前記照合部の照合結果に基づいて、前記所望の動作を実行させるか否かを決定する動作制御部とを備えたことを特徴とする。
【０００７】
なお、前記照合部で照合がとれた送信機器からの操作信号のみに応じる受信制限モード、および前記照合部で照合がとれた送信機器以外のものからの操作信号にも応じる受信許可モードが切り替え可能に構成されることが好ましい。
【０００８】
また、前記固有識別情報が前記記憶部に記憶されたことを表示する表示部を備えることが好ましい。
【発明の効果】
【０００９】
本発明の赤外線通信機能を有する受信機器によれば、送信機器からの操作信号に応じた所望の動作を実行する通常動作モード、および送信機器の固有識別情報を取得して、これを記憶する認証モードが切り替え可能に構成され、固有識別情報が記憶される記憶部と、操作信号に含まれる固有識別情報を、認証モードにて記憶部に記憶された固有識別情報と照合する照合部と、照合部の照合結果に基づいて、所望の動作を実行させるか否かを決定する動作制御部とを備えたので、簡単且つ確実に送信機器の認証を行うことができる。
【発明を実施するための最良の形態】
【００１０】
図１において、本発明を適用したプリンタ２は、赤外線通信機能を有し、カメラ付き携帯電話１０からのプリント信号に応じて画像をプリントするものである。このプリンタ２のボディ２ａには、赤外線受信窓１１、操作部１２、プリント残枚数表示窓１３、ディスプレイ１４、および排紙口１５が設けられている。
【００１１】
赤外線受信窓１１には、その内部に赤外線受信センサ３４（図３参照）が組み込まれており、カメラ付き携帯電話１０から送信されるプリント信号が入射される。
【００１２】
操作部１２は、電源ボタン１６、焼き増しボタン１７、受信制限動作／解除ボタン１８、およびモード切り替えボタン１９を備えている。電源ボタン１６は、プリンタ２の電源をオンオフする際に押圧操作される。焼き増しボタン１７は、直近にプリントした画像を再びプリントする際に押圧操作される。
【００１３】
ディスプレイ１４には、プリントに関するメッセージや、後述するカメラ付き携帯電話１０の認証に関するメッセージ４０（図４参照）が表示される。排紙口１５には、画像のプリントが完了したフイルム２０が排出される。
【００１４】
カメラ付き携帯電話１０は、カメラ２１、赤外線発信窓２２、ディスプレイ２３、および操作部２４を備えている。カメラ２１には、撮像レンズやＣＣＤイメージセンサが内蔵されており、被写体の撮影を行って画像データを出力する。カメラ２１から出力された画像データは、各種信号処理を経て、内蔵のメモリカード（図示せず）に記憶される。
【００１５】
赤外線発信窓２２には、その内部に赤外線発信センサが組み込まれており、プリンタ２の赤外線受信窓１１に向けてプリント信号が放射される。
【００１６】
ディスプレイ２３には、メニュー画面や着信相手の電話番号などの各種情報が表示される。また、ディスプレイ２３には、カメラ２１で得られたスルー画像や撮影した画像が再生表示される。操作部２４は、選択キーや各種メニューボタン、ダイヤルキー、カメラ２１に撮影動作を行わせるためのレリーズボタンなどから構成される。
【００１７】
図２に示すように、カメラ付き携帯電話１０からプリンタ２に送信されるプリント信号は、カメラ付き携帯電話１０の固有識別情報（カメラ付き携帯電話１０のシリアル番号や電話番号など）と、この固有識別情報のサイズを表すヘッダ情報とが、プリントする画像データに付随された構成となっている。
【００１８】
プリンタ２は、カメラ付き携帯電話１０からのプリント信号に応じたプリント動作を実行する通常動作モードと、カメラ付き携帯電話１０の固有識別情報を取得して、これを記憶する認証モードとを有している。これらのモードの切り替えは、モード切り替えボタン１９を押圧操作することにより行われる。また、後述するＩＤ記憶部３７（図３参照）に固有識別情報が記憶され、ディスプレイ１４にメッセー４０が表示された後、カメラ付き携帯電話１０からの確認信号を受信した際には、モード切り替えボタン１９を押圧操作するまでもなく、認証モードから通常動作モードに自動的に切り替わる。
【００１９】
また、プリンタ２は、通常動作モード下において、後述する照合部３８（図３参照）で照合がとれたカメラ付き携帯電話からのプリント信号のみに応じる受信制限モードと、照合部３８で照合がとれたカメラ付き携帯電話以外のものからのプリント信号にも応じる受信許可モードとを有している。これらのモードの切り替えは、受信制限動作／解除ボタン１８を押圧操作することにより行われる。
【００２０】
プリンタ２の内部構成を示す図３において、ＣＰＵ３０は、バス３１を介して各部に接続し、プリンタ２の全体を統括的に制御する。ＣＰＵ３０には、プリント動作を行うための各種プログラムが記憶されるＲＯＭ３２や、プログラムの実行に必要な各種データが一時記憶されるＲＡＭ３３が内蔵されている。
【００２１】
ＣＰＵ３０は、ＲＯＭ３２に記憶されたプログラムやデータを作業用メモリであるＲＡＭ３３に読み出し、これらに基づいてプリンタ２各部の制御を行う。また、ＣＰＵ３０には、前述の操作部１２が接続されている。ＣＰＵ３０は、操作部１２から入力される信号に応じて、プリンタ２の各部を動作させる。
【００２２】
赤外線受信センサ３４は、赤外線受信窓１１を介して入力されたプリント信号を受信し、これをＣＰＵ３０に送信する。画像メモリ３５は、赤外線受信センサ３４で受信したプリント信号のうちの画像データを記憶する。プリント部３６は、画像メモリ３５からプリントすべき画像データを読み出し、読み出した画像データに基づいて、例えばカラー感熱方式にてフイルム２０に画像をプリントする。
【００２３】
ＩＤ記憶部３７は、赤外線受信センサ３４で受信したプリント信号のうちの固有識別情報を記憶する。照合部３８は、通常動作モードにて受信したプリント信号に含まれる固有識別情報を、認証モードにてＩＤ記憶部３７に記憶された固有識別情報と照合し、この照合結果をＣＰＵ３０に送信する。
【００２４】
認証モード下において、ＣＰＵ３０は、赤外線受信センサ３４で受信したプリント信号から、そのヘッダ情報を参照して固有識別情報を抽出し、これをＩＤ記憶部３７に送信する。このとき、ＣＰＵ３０は、抽出された固有識別情報以外の情報、つまりヘッダ情報および画像データを破棄する。また、ディスプレイ１４は、図４に示すように、固有識別情報がＩＤ記憶部３８に記憶されたことを報せるメッセージ４０を表示する。
【００２５】
通常動作モード下において、ＣＰＵ３０は、赤外線受信センサ３４で受信したプリント信号から、そのヘッダ情報を参照して固有識別情報を抽出し、これを照合部３８に送信する。また、プリントすべき画像データを画像メモリ３５に送信する。
【００２６】
次に、上記構成を有するプリンタ２の動作手順について、図５および図６のフローチャートを参照して説明する。まず、電源ボタン１６が押圧操作されてプリンタ２の電源がオンされ、モード切り替えボタン１９が押圧操作されて認証モードが有効化される。
【００２７】
図５において、認証モード下では、カメラ付き携帯電話１０からのプリント信号が赤外線受信センサ３４で受信されると、このプリント信号がＣＰＵ３０に送信される。ＣＰＵ３０では、プリント信号のヘッダ情報が参照され、プリント信号からカメラ付き携帯電話１０の固有識別情報が抽出される。抽出された固有識別情報は、ＩＤ記憶部３７に記憶され、固有識別情報以外の情報は破棄される。
【００２８】
ＩＤ記憶部３７に固有識別情報が記憶された後、ディスプレイ１４にその旨を報せるメッセー４０が表示される。カメラ付き携帯電話１０のユーザーは、このメッセー４０を視認して、操作部２４を操作し、確認信号を送信する。プリンタ２では、カメラ付き携帯電話１０からの確認信号が受信されると、モードが認証モードから通常動作モードに自動的に切り替えられる。
【００２９】
図６において、通常動作モード下では、受信されたプリント信号に含まれる固有識別情報と、認証モードにてＩＤ記憶部３７に記憶された固有識別情報とが照合部３８で照合され、この照合結果がＣＰＵ３０に送信される。
【００３０】
照合部３８で照合がとれた場合、あるいは、照合部３８で照合がとれず、且つ受信許可モードが有効化されていた場合は、ＣＰＵ３０の制御の下に、画像メモリ３５からプリント部３６に画像データが読み出され、プリント部３６にてプリント動作が実行される。一方、照合部３８で照合がとれず、且つ受信制限モードが有効化されていた場合は、そのプリント信号は無視される。
【００３１】
プリント部３６でプリントされたフイルム２０は、排紙口１５から排出される。これにより、一回のプリント動作が終了する。
【００３２】
以上詳細に説明したように、カメラ付き携帯電話１０からのプリント信号に応じた所望の動作を実行する通常動作モード、およびカメラ付き携帯電話１０の固有識別情報を取得して、これを記憶する認証モードが切り替え可能に構成され、固有識別情報が記憶されるＩＤ記憶部３７と、プリント信号に含まれる固有識別情報を、認証モードにてＩＤ記憶部３７に記憶された固有識別情報と照合する照合部３８と、照合部３８の照合結果に基づいて、プリント動作を実行させるか否かを決定するＣＰＵ３０とを備えたので、簡単且つ確実にカメラ付き携帯電話１０の認証を行うことができる。
【００３３】
また、照合部３８で照合がとれたカメラ付き携帯電話からの操作信号のみに応じる受信制限モード、および照合部３８で照合がとれたカメラ付き携帯電話以外のものからの操作信号にも応じる受信許可モードが切り替え可能に構成されているので、ユーザーが意図しないカメラ付き携帯電話からのプリント信号による誤動作を完全に無くすことができるとともに、ユーザーの要求に応じて、他のカメラ付き携帯電話からのプリント信号も有効化することができる。
【００３４】
上記実施形態では、カメラ付き携帯電話１０の固有識別情報と、プリントすべき画像データとを含んだプリント信号を例示して説明したが、認証モード下では固有識別情報のみからなる信号を用いるようにしてもよい。また、上記実施形態では、１台のカメラ付き携帯電話に対してしか認証を行っていないが、複数台のカメラ付き携帯電話の認証を行ってもよい。さらに、各種モードの切り替えを、上記実施形態の受信制限動作／解除ボタン１８やモード切り替えボタン１９といった操作部材ではなく、認証済みのカメラ付き携帯電話からのモード切り替え信号に応じて行ってもよい。
【００３５】
上記実施形態では、ディスプレイ１４にメッセー４０を表示することで、カメラ付き携帯電話１０の認証が終了したことを報せているが、専用のランプを点灯させることによって報せてもよいし、ビープ音を鳴らして報せるようにしてもよい。また、照合部３８で照合がとれず、且つ受信制限モードが有効化されていて、プリント信号が無視されたときに、その旨を報せるようにしてもよい。
【００３６】
上記実施形態では、赤外線通信機能を有する受信機器、送信機器として、それぞれプリンタ２、カメラ付き携帯電話１０を例に挙げて説明したが、本発明はこれに限定されず、例えば、テレビと操作用リモコン、音楽再生機器とスピーカー、テレビとビデオおよび／またはＤＶＤプレイヤー・レコーダー、パーソナルコンピュータとワイヤレスマウス、楽器とアンプなど、他の種々の受信機器、送信機器についても適用することが可能である。
【図面の簡単な説明】
【００３７】
【図１】本発明を適用したプリンタ、およびカメラ付き携帯電話の構成を示す概略図である。
【図２】プリント信号の構成を示す説明図である。
【図３】プリンタの内部構成を示すブロック図である。
【図４】ディスプレイにメッセーが表示された状態を示す説明図である。
【図５】認証モード下におけるプリンタの動作手順を示すフローチャートである。
【図６】通常動作モード下におけるプリンタの動作手順を示すフローチャートである。
【符号の説明】
【００３８】
２  プリンタ（受信機器）
１０  カメラ付き携帯電話（送信機器）
１４  ディスプレイ
１８  受信制限動作／解除ボタン
１９  モード切り替えボタン
３０  ＣＰＵ
３４  赤外線受信センサ
３７  ＩＤ記憶部
３８  照合部
４０  メッセージ
【図１】
2006243792.tif 000003
【図２】
2006243792.tif 000004
【図３】
2006243792.tif 000005
【図４】
2006243792.tif 000006
【図５】
2006243792.tif 000007
【図６】
2006243792.tif 000008